(57)【要約】【課題】水熱交換器を用いた室内ユニットにおいて、水出入温度差を適切に制御を行うことのできる空気調和装置を提供する。【解決手段】水熱交換用室内ユニットは、水熱交換器５０の出湯温度を検出する出湯温度センサ６０および入湯温度を検出する入湯温度センサ５９と、出湯温度センサ６０および入湯温度センサ５９の検出値に基づいて水出入温度差を算出し、水出入温度差に基づいてポンプ５５の運転制御を行う水熱交換用制御部７４と、を備え、ポンプ５５は、水出入温度差が所定の温度差となるように定格流量が設定され、水熱交換用制御部７４は、定格流量における水出入温度差に対して水出入温度差が所定温度高くなった場合に、定格流量以上の能力でポンプ５５を運転制御する。【選択図】図１
2017067320.tif 000002
【特許請求の範囲】
【請求項１】
冷媒を圧縮する圧縮機と室外熱交換器とを備えた室外ユニットと、前記冷媒と水とを熱交換させる水熱交換器と前記水熱交換器に水を供給するポンプとを備えた水熱交換用室内ユニットと、を備え、
前記水熱交換用室内ユニットは、前記水熱交換器の出湯温度を検出する出湯温度センサおよび入湯温度を検出する入湯温度センサと、前記出湯温度センサおよび前記入湯温度センサの検出値に基づいて水出入温度差を算出し、前記水出入温度差に基づいて前記ポンプの運転制御を行う水熱交換用制御部と、を備え、
前記ポンプは、前記水出入温度差が所定の温度差となるように定格流量が設定され、
前記水熱交換用制御部は、定格流量における前記水出入温度差に対して前記水出入温度差が所定温度高くなった場合に、定格流量以上の能力で前記ポンプを運転制御することを特徴とする空気調和装置。
【請求項２】
前記水熱交換用制御部は、定格流量以上の能力で前記ポンプを運転制御している際に、定格流量における前記水出入温度差に対して前記水出入温度差が所定温度低くなった場合に、定格流量の能力を下回らない範囲で前記ポンプの能力を下げるように運転制御することを特徴とする請求項１に記載の空気調和装置。
【請求項３】
前記水熱交換用制御部は、暖房時におけるサーモＯＮ時に、前記ポンプを低流量の能力で運転するように制御することを特徴とする請求項１または請求項２に記載の空気調和装置。
【発明の詳細な説明】
【技術分野】
【０００１】
本発明は、空気調和装置に係り、特に、水熱交換器を用いた室内ユニットを備えた空気調和装置に関するものである。
【背景技術】
【０００２】
一般に、冷房、暖房を行う空気調和装置においては、圧縮機や室外熱交換器などを備えた室外ユニットと、室内熱交換器を備えた室内ユニットとを有している。
このような空気調和装置において、従来から、室内ユニットに冷媒と水とを熱交換させる水熱交換器を設け、この水熱交換器により熱交換された水を熱源として、空調を行ったり、あるいは給湯を行う技術が知られている。
このような技術としては、例えば、室内ユニットに水熱交換器を設置し、水熱交換器により熱交換された水を浴槽で利用するようにした空気調和装置がある（例えば、特許文献１参照）。
【先行技術文献】
【特許文献】
【０００３】
【特許文献１】特開平０２−２７９９６２号公報
【発明の概要】
【発明が解決しようとする課題】
【０００４】
従来の技術においては、水熱交換器における温度制御は、水熱交換器の出湯温度および入湯温度に基づいて行われるものであるが、水熱交換器に水を供給するポンプは、定格能力で運転するようにしていた。
しかしながら、室外ユニットに対して複数の室内ユニットを接続した場合、他の室内ユニットの運転状況などにより、能力が大幅に変化することがある。
そのため、他の室内ユニットの運転状況によっては、水熱交換器の出湯温度および入湯温度を適正に制御することができないという問題を有している。
本発明は前記した点に鑑みてなされたものであり、水熱交換器を用いた室内ユニットにおいて、水出入温度差を適切に制御を行うことのできる空気調和装置を提供することを目的とするものである。
【課題を解決するための手段】
【０００５】
前記目的を達成するため、本発明は、冷媒を圧縮する圧縮機と室外熱交換器とを備えた室外ユニットと、前記冷媒と水とを熱交換させる水熱交換器と前記水熱交換器に水を供給するポンプとを備えた水熱交換用室内ユニットと、を備え、前記水熱交換用室内ユニットは、前記水熱交換器の出湯温度を検出する出湯温度センサおよび入湯温度を検出する入湯温度センサと、前記出湯温度センサおよび前記入湯温度センサの検出値に基づいて水出入温度差を算出し、前記水出入温度差に基づいて前記ポンプの運転制御を行う水熱交換用制御部と、を備え、前記ポンプは、前記水出入温度差が所定の温度差となるように定格流量が設定され、前記水熱交換用制御部は、定格流量における前記水出入温度差に対して前記水出入温度差が所定温度高くなった場合に、定格流量以上の能力で前記ポンプを運転制御することを特徴とする。
【０００６】
また、前記構成において、前記水熱交換用制御部は、定格流量以上の能力で前記ポンプを運転制御している際に、定格流量における前記水出入温度差に対して前記水出入温度差が所定温度低くなった場合に、定格流量の能力を下回らない範囲で前記ポンプの能力を下げるように運転制御することを特徴とする。
【０００７】
また、前記構成において、前記水熱交換用制御部は、暖房時におけるサーモＯＮ時に、前記ポンプを低流量の能力で運転するように制御することを特徴とする。
【発明の効果】
【０００８】
本発明によれば、定格流量における水出入温度差に対して水出入温度差が所定温度高くなった場合に、水熱交換用制御部により定格流量以上の能力でポンプを運転制御するので、水出入温度差が所定温度高くなった場合でも、水熱交換器の出湯温度および入湯温度を適正に制御することができる。
【図面の簡単な説明】
【０００９】
【図１】本発明に係る空気調和装置の実施形態を示す冷凍サイクル構成図である。
【図２】本実施形態の空気調和装置の制御構成を示すブロック図である。
【図３】本実施形態の空気調和装置におけるポンプの制御例を示す説明図である。
【図４】本実施形態の空気調和装置の動作を示すフローチャートである。
【発明を実施するための形態】
【００１０】
以下、本発明の実施形態について、図面を参照して説明する。
図１は、本発明の実施形態に係る空気調和装置のサイクル構成図である。
図１に示す空気調和装置は、室外ユニット２と、室内ユニット４とを備えている。また、室内ユニット４は、空調用室内ユニット６と、水熱交換用室内ユニット８とを備えている。
本実施形態においては、１台の室外ユニット２に対して、２台の空調用室内ユニット６と１台の水熱交換用室内ユニット８がそれぞれ接続された構成となっている。
【００１１】
室外ユニット２と、空調用室内ユニット６と、水熱交換用室内ユニット８とは、高温高圧のガス化した冷媒が流れる高圧ガス管１０と、低圧の冷媒が流れる低圧ガス管１１と、高圧の液化した冷媒が流れる液管１２とで接続されている。
【００１２】
室外ユニット２は、冷媒を圧縮する圧縮機２０を備えている。圧縮機２０の吸入側には、圧縮機２０にガス冷媒を供給する気液分離器２１が接続されており、圧縮機２０の吐出側は、高圧ガス配管に接続されている。
また、室外ユニット２は、室外熱交換器２２を備えており、室外熱交換器２２の近傍には、室外熱交換器２２に室外ユニット２の周囲の空気を供給する室外送風ファン２３が設けられている。そして、室外熱交換器２２は、室外送風ファン２３により送られる空気と冷媒とが熱交換するよう構成されており、一般的には、フィン・チューブ型やマイクロチューブ型の熱交換器が用いられる。
【００１３】
室外熱交換器２２の一側には、液管１２が接続されており、この液管１２の中途部には、室外熱交換器２２に供給される冷媒の流量を調整する室外冷媒流量調整弁２４が設けられている。
また、室外熱交換器２２の他側には、高圧ガス管１０および低圧ガス管１１がそれぞれ接続されている。高圧ガス管１０の中途部には、高圧ガス管１０における冷媒の流量を制御する室外高圧ガス管開閉弁２５が設けられており、低圧ガス管１１の中途部には、低圧ガス管１１における冷媒の流量を制御する室外低圧ガス管開閉弁２６が設けられている。
【００１４】
また、室外ユニット２は、室外制御装置２７を備えている。室外ユニット２の圧縮機２０の冷媒流入側には、圧縮機２０に流入する冷媒圧力を検出する低圧センサ２８が設けられており、圧縮機２０の冷媒吐出側には、圧縮機２０から吐出される冷媒圧力を検出する高圧センサ２９が設けられている。さらに、室外ユニット２には、外気温を検出する外気温センサ３０が設けられている。
【００１５】
空調用室内ユニット６は、室内熱交換器４０を備えており、室内熱交換器４０の近傍には、室内熱交換器４０に空調用室内ユニット６の周囲の空気を供給する室内送風ファン４１が設けられている。室内熱交換器４０は、室内送風ファン４１で送られる空気と、冷媒とが熱交換するよう構成されており、一般的には、フィン・チューブ型やマイクロチューブ型の熱交換器が用いられる。
【００１６】
また、室内熱交換器４０の一側には、液管１２が接続されており、この液管１２の中途部には、室内熱交換器４０に供給される冷媒の流量を調整する室内冷媒流量調整弁４２が設けられている。
また、室内熱交換器４０の他側には、高圧ガス管１０および低圧ガス管１１がそれぞれ接続されている。高圧ガス管１０の中途部には、高圧ガス管１０における冷媒の流量を制御する室内高圧ガス管開閉弁４３が設けられており、低圧ガス管１１の中途部には、低圧ガス管１１における冷媒の流量を制御する室内低圧ガス管開閉弁４４が設けられている。
【００１７】
また、空調用室内ユニット６の室内には、運転のＯＮ・ＯＦＦや室内の温度設定などを操作するための室内空調用リモコン４５が設置されている。室内空調用リモコン４５には、室内の温度を検出する室温センサ４６が設けられている。
【００１８】
水熱交換用室内ユニット８は、水熱交換器５０を備えている。水熱交換器５０は、冷媒と水とが熱交換するよう構成されており、一般的には、プレート式熱交換器が用いられる。
また、水熱交換器５０の一側には、液管１２が接続されており、この液管１２の中途部には、水熱交換器５０に供給される冷媒の流量を調整する水熱用冷媒流量調整弁５１が設けられている。
また、水熱交換器５０の他側には、高圧ガス管１０および低圧ガス管１１がそれぞれ接続されている。高圧ガス管１０の中途部には、高圧ガス管１０における冷媒の流量を制御する水熱用高圧ガス管開閉弁５２が設けられており、低圧ガス管１１の中途部には、低圧ガス管１１における冷媒の流量を制御する水熱用低圧ガス管開閉弁５３が設けられている。
【００１９】
水熱交換用室内ユニット８の水熱交換器５０には、水配管５４が接続されており、水配管５４の中途部には、水熱交換器５０に水を循環するためのポンプ５５が設けられている。
水配管５４には、空調システムまたは給湯システムのいずれかが接続されるように構成されており、空調システムが接続された場合は空調モード、給湯システムが接続された場合はタンクモードとして取り扱われる。
本実施形態においては、水配管５４に空調システム６１が接続された場合について説明する。
空調システム６１は、輻射パネル５６を備えており、輻射パネル５６には、水配管５４が接続されている。輻射パネル５６に水熱交換器５０において冷媒と熱交換した水を水配管５４を介して供給することにより、輻射パネル５６による冷房または暖房を行うように構成されている。
【００２０】
また、本実施形態においては、水熱交換用室内ユニット８の室内には、運転のＯＮ・ＯＦＦや室内の温度設定などを操作するための水熱交換用リモコン５７が設置されている。
水熱交換用リモコン５７には、室内の温度を検出する室温センサ５８が設けられており、水熱交換用室内ユニット８には、水熱交換器５０の入口側の水温を検出する入湯温度センサ５９および水熱交換器５０の出口側の水温を検出する出湯温度センサ６０がそれぞれ設けられている。
【００２１】
次に、本実施形態における空気調和装置の制御構成について説明する。
図２は本発明に係る空気調和装置の制御構成を示すブロック図である。
図２に示すように、室外制御装置２７は、所定の制御や演算処理などを総括して行う室外用制御部７０を備えている。室外用制御部７０は、外気温センサ３０、低圧センサ２８および高圧センサ２９の検出値に基づいて、圧縮機２０および室外送風ファン２３の駆動制御を行うように構成されている。
【００２２】
空調用室内ユニット６は、所定の制御や演算処理などを総括して行う室内空調用制御部７１を備えている。
また、室内空調用リモコン４５は、所定の制御や演算処理などを総括して行う室内空調用リモコン制御部７７を備えている。
また、室内空調用リモコン４５は、利用者が空調用室内ユニット６の運転のＯＮ・ＯＦＦ、室温設定、冷暖房の切換えなどの操作を行う操作部７２を備えている。室内空調用リモコン４５は、設定温度や空調用室内ユニット６の運転状況などを表示する表示部７３を備えている。室内空調用リモコン制御部７７は、室内空調用制御部７１に室温センサ４６の検出値、操作部７２による操作信号を送るとともに、室内空調用制御部７１から送られる表示信号に応じて表示部７３の表示制御を行うように構成されている。
【００２３】
室内空調用制御部７１は、操作部７２により設定された室温となるように、室温センサ４６の検出値に応じて室内冷媒流量調整弁４２の開度制御および室内送風ファン４１の駆動制御を行うように構成されている。また、室内空調用制御部７１は、操作部７２による冷暖房の切換え操作に応じて、室内高圧ガス管開閉弁４３および室内低圧ガス管開閉弁４４の開閉制御を行うように構成されている。
なお、室内空調用制御部７１は、室外制御装置２７と通信可能に構成されている。
【００２４】
また、水熱交換用室内ユニット８は、所定の制御や演算処理などを総括して行う水熱交換用制御部７４を備えている。
また、水熱交換用リモコンは、所定の制御や演算処理などを総括して行う水熱交換用リモコン制御部７８を備えている。
水熱交換用リモコン５７は、利用者が水熱交換用室内ユニット８の運転のＯＮ・ＯＦＦ、室温設定、冷暖房の切換えなどの操作を行う操作部７５を備えている。水熱交換用用リモコンは、室温設定温度や空調用室内ユニット６の運転状況などを表示する表示部７６を備えている。
水熱交換用リモコン制御部７８は、水熱交換用制御部７４に室温センサ５８の検出値、操作部７５による操作信号を送るとともに、水熱交換用制御部７４から送られる表示信号に応じて表示部の表示制御を行うように構成されている。また、水熱交換用制御部７４は、入湯温度センサ５９および出湯温度センサ６０の検出値がそれぞれ入力されるように構成されている。
【００２５】
水熱交換用制御部７４は、操作部７５により設定された室温となるように、室温センサ５８の検出値に応じてポンプ５５の駆動制御を行うように構成されている。また、水熱交換用制御部７４は、操作部７５による冷暖房の切換え操作に応じて、水熱交換用高圧ガス管開閉弁および水熱交換用低圧ガス管開閉弁の開閉制御を行うように構成されている。
なお、水熱交換用制御部７４は、室外制御装置２７と通信可能に構成されている。
【００２６】
また、水熱交換用リモコン５７は、本実施形態においては、システムの初期設定時に、空調モードまたはタンクモードのいずれかを選択して設定することができる機能を有している。水熱交換用リモコン５７は、初期設定で選択されたモードに基づいて所定の制御を行うものである。
【００２７】
空調モードにおいては、水熱交換用制御部７４は、入湯温度センサ５９および出湯温度センサ６０の検出値に基づいて制御を行う。
図３は水熱交換用制御部７４によるポンプ５５の制御例を示す説明図である。
水熱交換用制御部７４は、入湯温度センサ５９による検出値と出湯温度センサ６０による検出値の差である水出入温度差（ΔＴＷ）を求める。すなわち、水出入温度差（ΔＴＷ）＝出口水温（Ｔｏｕｔ）−入口水温（Ｔｉｎ）である。
【００２８】
本実施形態においては、ポンプ５５は、水出入温度差（ΔＴＷ）が５℃となるように、定格流量（ＨＨ）が設定されている。なお、水出入温度差（ΔＴＷ）を５℃以外の任意の値に設定することも可能である。
また、ポンプ５５は、その能力を変動できるように構成されている。ポンプ５５の能力は、例えば、本実施形態においては、極小流量（ＬＬ）、低流量（Ｌ）、定格流量（ＨＨ）、定格流量から最大流量まで変動可能とされている。
【００２９】
そして、利用者が水熱交換用リモコン５７の操作部７５を操作して暖房運転を開始させると、水熱交換用制御部７４は、図３に示すように、ポンプ５５の運転を開始した場合に、ポンプ５５の運転を極小流量（ＬＬ）で開始する。
水熱交換用制御部７４は、ポンプ５５を極小流量（ＬＬ）で運転している間に、正確な水温検出などの事前準備を行い、暖房運転を開始可能な条件が揃った場合に、水熱交換用制御部７４は、サーモＯＮに切り換え、図３に示すように、ポンプ５５の運転を低流量（Ｌ）に切り換える。
水熱交換用制御部７４は、前述のように、水出入温度差（ΔＴＷ）を求め、水出入温度差（ΔＴＷ）≧３℃となった場合に、ポンプ５５の運転を定格流量（ＨＨ）に切り換える。
なお、水出入温度差（ΔＴＷ）の算出は、一定周期で行われるものであり、例えば、１分毎に算出が行われる。
水熱交換用制御部７４は、水出入温度差（ΔＴＷ）が７℃より大きくなった場合に、定格流量（ＬＬ）による水出入温度差（ΔＴＷ）の５℃よりも温度差が大きいため、ポンプ５５の能力を上げて流量を増やすように制御する。
水出入温度差（ΔＴＷ）による流量制御は、水出入温度差（ΔＴＷ）の算出周期である１分ごとに行われ、１分経過しても、水出入温度差（ΔＴＷ）が７℃より大きい場合には、水熱交換用制御部７４は、さらにポンプ５５の能力を上げるように制御する。このポンプ５５の運転制御は、ポンプ５５の最大能力まで行われる。
【００３０】
そして、水熱交換用制御部７４により、ポンプ５５の能力を上げていった場合に、水出入温度差（ΔＴＷ）が４℃未満となった場合には、水熱交換用制御部７４は、ポンプ５５の能力を下げて流量を低減させるように制御する。
この場合において、水熱交換用制御部７４は、ポンプ５５の能力を下げるように制御して定格流量（ＨＨ）になった場合に、水出入温度差（ΔＴＷ）が４℃未満となっていても、ポンプ５５の能力は、定格流量（ＨＨ）を下回らない範囲で運転制御される。
そして、水熱交換用制御部７４は、サーモＯＦＦとなった場合に、ポンプ５５の運転を極小流量（ＬＬ）に切り換える。
【００３１】
なお、前述の運転制御は、暖房時におけるポンプ５５の運転制御の例を示しているが、冷房時においても、同様にポンプ５５の運転制御を行うことができる。
例えば、冷房時においては、水熱交換器５０により水が冷却されることになるので、水出入温度差（ΔＴＷ）は−５℃となるように設定されている。そして、水熱交換用制御部７４は、水出入温度差（ΔＴＷ）が−７℃より大きくなった場合に、ポンプ５５の能力を上げて流量を増やすように制御する。また、水出入温度差（ΔＴＷ）が−４℃未満となった場合に、水熱交換用制御部７４は、ポンプ５５の能力を下げて流量を低減させるように制御する。
また、冷房時においては、運転開始時に水熱交換器５０における冷媒温度が下がりやすく、水熱交換器５０の水の凍結が懸念されることから、運転開始時からポンプ５５の運転を定格流量（ＨＨ）で行う。
【００３２】
次に、本実施形態の空気調和装置の動作について、図１の冷凍サイクル図を参照しながら説明する。
【００３３】
冷房運転時は、室外ユニット２において、室外高圧ガス管開閉弁２５を開、室外低圧ガス管開閉弁２６を閉に設定し、空調用室内ユニット６において、室内高圧ガス管開閉弁４３を閉、室内低圧ガス管開閉弁４４を開に設定し、水熱交換用室内ユニット８において、水熱用高圧ガス管開閉弁５２を閉、水熱用低圧ガス管開閉弁５３を開に設定する。
【００３４】
この状態で、圧縮機２０を駆動すると、圧縮機２０で圧縮された高温高圧の冷媒は、室外高圧ガス管開閉弁２５を経由して室外熱交換器２２に入り、室外ユニット２周囲の空気により冷却され液状態になる。液状態の冷媒は、全開状態の室外冷媒流量調整弁２４を経由して液管１２に流入し、空調用室内ユニット６および水熱交換用室内ユニット８に到達する。
【００３５】
空調用室内ユニット６に到達した冷媒は、室内冷媒流量調整弁４２で減圧されて低温低圧の気液二相状態になった後、室内熱交換器４０に流入して、室内空気から熱を奪って冷房を行う。この過程で冷媒は蒸発し、室内低圧ガス管開閉弁４４を経由して低圧ガス管１１に入り、室外ユニット２に戻る。室外ユニット２に戻った冷媒は気液分離器２１を経由して、圧縮機２０に戻る。
【００３６】
水熱交換用室内ユニット８に到達した冷媒は、水熱用冷媒流量調整弁５１で減圧されて低温低圧の気液二相状態になった後、水熱交換器５０に流入して水との熱交換を行い、水の冷却を行う。この過程で冷媒は蒸発し、水熱用低圧ガス管開閉弁５３を経由して低圧ガス管１１に入り、室外ユニット２に戻る。室外ユニット２に戻った冷媒は気液分離器２１を経由して、圧縮機２０に戻る。
【００３７】
また、暖房運転時は、室外ユニット２において、室外高圧ガス管開閉弁２５を閉、室外低圧ガス管開閉弁２６を開に設定し、空調用室内ユニット６において、室内高圧ガス管開閉弁４３を開、室内低圧ガス管開閉弁４４を閉に設定し、水熱交換用室内ユニット８において、水熱用高圧ガス管開閉弁５２を開、水熱用低圧ガス管開閉弁５３を閉に設定する。
【００３８】
圧縮機２０で圧縮された高温高圧の冷媒は高圧ガス管１０に流入し、空調用室内ユニット６に到達する。空調用室内ユニット６に到達した冷媒は、室内高圧ガス管開閉弁４３を経由して、室内熱交換器４０に流入して、室内空気に放熱し暖房を行う。この過程で冷媒は凝縮して液化し、全開状態の室内冷媒流量調整弁４２を経由して液管１２に流入し、室外ユニット２に戻る。
【００３９】
また、圧縮機２０で圧縮された高温高圧の冷媒は高圧ガス管１０に流入し、水熱交換用室内ユニット８に到達する。水熱交換用室内ユニット８に到達した冷媒は、水熱用高圧ガス管開閉弁５２を経由して、水熱交換器５０に流入して水との熱交換を行い、水の加熱を行う。この過程で冷媒は凝縮して液化し、全開状態の水熱用冷媒流量調整弁５１を経由して液管１２に流入し、室外ユニット２に戻る。
【００４０】
室外ユニット２に戻った冷媒は、室外冷媒流量調整弁２４で減圧されて低温低圧の気液二相状態になった後、室外熱交換器２２に入り、室外ユニット２周囲の空気により加熱されて蒸発する。蒸発し気化した冷媒は、室外低圧ガス管開閉弁２６、気液分離器２１を経由して圧縮機２０に戻る。
【００４１】
次に、水熱交換用室内ユニット８における暖房時の動作について、図４に示すフローチャートを参照して説明する。
【００４２】
暖房運転を開始すると（ステップＳ１）、水熱交換用制御部７４は、ポンプ５５の運転を極小流量（ＬＬ）で開始する（ステップＳ２）。
その後、サーモＯＮになると（ステップＳ３：ＹＥＳ）、水熱交換用制御部７４は、ポンプ５５の運転を低流量（Ｌ）に切り換える（ステップＳ４）。
水熱交換用制御部７４は、水出入温度差（ΔＴＷ）を求め、水出入温度差（ΔＴＷ）≧３℃となった場合に（ステップＳ５：ＹＥＳ）、ポンプ５５の運転を定格流量（ＨＨ）に切り換える（ステップＳ６）。
【００４３】
水熱交換用制御部７４は、水出入温度差（ΔＴＷ）が７℃より大きくなった場合に（ステップＳ７：ＹＥＳ）、ポンプ５５の能力を上げて流量を増やすように制御する（ステップＳ８）。
このポンプ５５の流量を増やす制御は、ポンプ５５の最大能力に至るまで行われ（ステップＳ９）、水熱交換用制御部７４により、ポンプ５５の能力を上げていった場合に、水出入温度差（ΔＴＷ）が４℃未満となった場合には（ステップＳ１０：ＹＥＳ）、水熱交換用制御部７４は、ポンプ５５の能力を下げて流量を低減させるように制御する（ステップＳ１１）。
【００４４】
そして、水熱交換用制御部７４は、ポンプ５５の能力を下げるように制御して定格流量（ＨＨ）になった場合に、水出入温度差（ΔＴＷ）が４℃未満となっていても、ポンプ５５の能力は、定格流量（ＨＨ）を下回らない範囲で運転制御され、水熱交換用制御部７４は、サーモＯＦＦとなった場合に、ポンプ５５の運転を極小流量（ＬＬ）に切り換える。
【００４５】
以上述べたように、本実施形態においては、水熱交換用制御部７４は、定格流量における水出入温度差（ΔＴＷ）に対して水出入温度差（ΔＴＷ）が所定温度高くなった場合に、定格流量以上の能力でポンプ５５を運転制御する。
これによれば、定格流量における水出入温度差（ΔＴＷ）に対して水出入温度差（ΔＴＷ）が所定温度高くなった場合に、水熱交換用制御部７４により定格流量以上の能力でポンプ５５を運転制御するので、水出入温度差（ΔＴＷ）が所定温度高くなった場合でも、水熱交換器５０の出湯温度および入湯温度を適正に制御することができる。
【００４６】
また、本実施形態においては、水熱交換用制御部７４は、定格流量以上の能力でポンプ５５を運転制御している際に、定格流量における水出入温度差（ΔＴＷ）に対して水出入温度差（ΔＴＷ）が所定温度低くなった場合に、定格流量の能力を下回らない範囲でポンプ５５の能力を下げるように運転制御する。
これによれば、定格流量における水出入温度差（ΔＴＷ）に対して水出入温度差（ΔＴＷ）が所定温度低くなった場合に、定格流量の能力を下回らない範囲でポンプ５５の能力を下げるように運転制御するので、水出入温度差（ΔＴＷ）が所定温度低くなった場合でも、水熱交換器５０の出湯温度および入湯温度を適正に制御することができる。また、定格流量の能力を下回らない範囲でポンプ５５の能力を下げるので、定格流量は常に確保することができる。
【００４７】
また、本実施形態においては、水熱交換用制御部７４は、暖房時におけるサーモＯＮ時に、ポンプ５５を低流量の能力で運転するように制御する。
これによれば、サーモＯＮ時に、ポンプ５５を低流量の能力で運転するので、サーモＯＮ時における立ち上がり速度の改善を図ることができ、他の室内ユニットへの影響を少なくすることができる。
【００４８】
なお、本発明は、前記実施形態に限定されるものではなく、発明の趣旨を逸脱しない範囲で種々変更が可能である。
【符号の説明】
【００４９】
２  室外ユニット
４  室内ユニット
６  空調用室内ユニット
８  水熱交換用室内ユニット
１０  高圧ガス管
１１  低圧ガス管
１２  液管
２０  圧縮機
２２  室外熱交換器
２３  室外送風ファン
２４  室外冷媒流量調整弁
２５  室外高圧ガス管開閉弁
２６  室外低圧ガス管開閉弁
２７  室外制御装置
２８  低圧センサ
２９  高圧センサ
３０  外気温センサ
４０  室内熱交換器
４１  室内送風ファン
４２  室内冷媒流量調整弁
４３  室内高圧ガス管開閉弁
４４  室内低圧ガス管開閉弁
４５  室内空調用リモコン
４６  室温センサ
５０  水熱交換器
５１  水熱用冷媒流量調整弁
５２  水熱用高圧ガス管開閉弁
５３  水熱用低圧ガス管開閉弁
５４  水配管
５５  ポンプ
５６  輻射パネル
５７  水熱交換用リモコン
５８  室温センサ
５９  入湯温度センサ
６０  出湯温度センサ
６１  空調システム
７０  室外用制御部
７１  室内空調用制御部
７２  操作部
７３  表示部
７４  水熱交換用制御部
７５  操作部
７６  表示部
７７  室内空調用リモコン制御部
７８  水熱交換用リモコン制御部
【図１】
2017067320.tif 000003
【図２】
2017067320.tif 000004
【図３】
2017067320.tif 000005
【図４】
2017067320.tif 000006